(57)【要約】【課題】照明制御システムにおいて、屋内の照明器具を効果的かつ簡便な構成で点灯させることで、無駄なコストを抑えながらも、的確に侵入盗などに対して屋内に人が居ると思い込ませることができようにする。【解決手段】照明制御システム１は、屋内の照明装置２Ａ、２Ｂ、２Ｃ、２Ｄと、これらと通信手段で接続されて点灯／消灯パターンモードを切り替えるモード切替指示部３とを備える。照明装置２Ａ、２Ｂ、２Ｃ、２Ｄは、照明負荷５及び点灯回路６を有する照明器具４と、照明器具４を点灯制御する制御部７と、モード切替指示部３と通信を行う通信部８と、照度検出手段とを有する。制御部７は、照度検出手段の検出値によって照明装置が窓側に位置するかを自動認識する。モード切替指示部３にて、照明器具４を予め定められたパターンに応じて点灯させるセキュリティモードに切り替え、本モードで少なくとも窓際の照明装置２Ａ、２Ｂの照明器具４を点灯させる。【選択図】図１
2008270041.tif 000002
【特許請求の範囲】
【請求項１】
複数の照明器具と、前記照明器具を点灯制御する制御部と、前記制御部と通信手段で接続され、照明器具の点灯／消灯パターンモードを切り替えるモード切替手段とを備えた照明制御システムにおいて、
前記モード切替手段は、照明器具を通常点灯させる通常モードと照明器具を予め定められたパターンに応じて点灯させるセキュリティモードとに切り替える機能を持ち、
前記セキュリティモードは、少なくとも窓に近接配置された照明器具を予め定められたパターンにて点灯制御する機能を有することを特徴とする照明制御システム。
【請求項２】
前記照明器具は、照度検出手段を有し、
前記制御部は、前記照度検出手段により得られる検出値によって、いずれの照明器具が窓側に位置するかを自動認識することを特徴とする請求項１に記載の照明制御システム。
【発明の詳細な説明】
【技術分野】
【０００１】
本発明は、不審者などが無断に屋内に侵入することを防止することに効果のある照明制御システムに関する。
【背景技術】
【０００２】
侵入盗などは人が不在となる夜間に、屋内における人の在否を、屋内に設置された照明器具の点灯状態によって判断する傾向がある。そのため、従来より、屋内が無人状態のときに屋内の照明器具を自動的に点灯させることで、侵入盗などに対してあたかも屋内に人が居ると思い込ませるようにする照明制御システムが知られている。
【０００３】
例えば、特許文献１には、屋内に設置された複数の照明器具と、この照明器具をそれぞれ点灯／消灯させるためのスイッチング装置と、このスイッチング装置を制御して、侵入盗などに対して屋内に人が居ると思い込ませるように照明器具を点灯／消灯させるスイッチング制御装置とを備えた照明制御システムが開示されている。この照明制御システムにおいては、どの照明器具をどの時間帯に点灯させるかといった照明器具の点灯態様は、制御装置の設定画面で任意設定できるように構成されている。
【特許文献１】特開２００４−９４６０１号公報
【発明の開示】
【発明が解決しようとする課題】
【０００４】
しかしながら、上述した人の在否の判断において、侵入盗などは、通常、屋内の照明器具の点灯状態を屋外から窓越しに目視するので、特許文献１に記載された照明制御システムでは、設定のし忘れや誤った操作等によって、屋内が無人状態のときに、窓に近接配置された照明器具が点灯しなかった場合、侵入盗などに対して屋内に人が居ると思い込ませることができない。また、屋内が無人状態のときに、窓に近接配置された照明器具に対してより内方に配置された照明器具が点灯する場合、侵入盗などはその内方の照明器具の多くを屋外から目視できないために、侵入盗などに対する効果が向上されず、無駄な電気代が嵩む。さらに、屋内が無人状態のときには、窓に近接配置された照明器具の全てが点灯するように、システム施工時等において予め設定しておくと、その後、点灯させる照明器具を変更する機会はほとんど無いので、点灯させる照明器具を任意設定する機能を設けることはコストアップにつながる。
【０００５】
本発明は、上記問題を解決するためになされたものであり、屋内の照明器具を簡便な構成で効率的に点灯させることで、製造コストや稼動コストを抑えながらも、的確に侵入盗などに対して屋内に人が居ると思い込ませることができる照明制御システムを提供することを目的とする。
【課題を解決するための手段】
【０００６】
上記目的を達成するために請求項１の発明は、複数の照明器具と、前記照明器具を点灯制御する制御部と、前記制御部と通信手段で接続され、照明器具の点灯／消灯パターンモードを切り替えるモード切替手段とを備えた照明制御システムにおいて、前記モード切替手段は、照明器具を通常点灯させる通常モードと照明器具を予め定められたパターンに応じて点灯させるセキュリティモードとに切り替える機能を持ち、前記セキュリティモードは、少なくとも窓に近接配置された照明器具を予め定められたパターンにて点灯制御する機能を有するものである。
【０００７】
請求項２の発明は、請求項１に記載の発明において、前記照明器具は、照度検出手段を有し、前記制御部は、前記照度検出手段により得られる検出値によって、いずれの照明器具が窓側に位置するかを自動認識するものである。
【発明の効果】
【０００８】
請求項１の発明によれば、セキュリティモードに切り替わると、窓に近接配置された照明器具のみを予め定められたパターンに応じて点灯させることができるので、無駄な電力を消費せずに、的確に侵入盗などに対して屋内に人が居ると思い込ませることができる。
【０００９】
請求項２の発明によれば、照明器具が窓側に位置する照明器具が制御部によって自動認識されるので、窓側に位置する照明器具を手動で認識させる手間を省くことができる。
【発明を実施するための最良の形態】
【００１０】
（第１の実施形態）
本発明の第１の実施形態に係る照明制御システムについて図１を参照して説明する。照明制御システム１は、複数の照明装置２Ａ、２Ｂ、２Ｃ、２Ｄと、これらの照明装置２Ａ、２Ｂ、２Ｃ、２Ｄと通信手段で接続されてそれぞれの点灯／消灯パターンモードを切り替えるモード切替指示部３とを備える。照明装置２Ａ、２Ｂ、２Ｃ、２Ｄは、住宅やオフィス、店舗等の建物の屋内に設けられ、そのうち、窓に近接配置されるものを窓際の照明装置２Ａ、２Ｂとし、窓際の照明装置２Ａ、２Ｂ対してより屋内内部に配置されるものを内部の照明装置２Ｃ、２Ｄとする。窓際の照明装置２Ａ、２Ｂは、通信線１５でモード切替指示部と接続され、内部の照明装置２Ｃ、２Ｄは、窓際の照明装置２Ａ、２Ｂとは別の通信線１５でモード切替指示部と接続される。通信線１５としては、例えば、ＲＳ−２３２Ｃ等の通信規格のものが用いられる。ここで、照明器具が窓に近接配置するかどうかといった判断は、点灯させた照明装置を屋外から窓越しに目視したとき、その点灯状態が確認できる照明装置であるかどうかを実質的な基準とし、点灯状態が確認できるものを窓際の照明装置、点灯状態が確認できないものを内部の照明装置とする。
【００１１】
また、照明装置２Ａ、２Ｂ、２Ｃ、２Ｄは、照明器具４と、この照明器具４を点灯制御する制御部７と、上述の接続態様によってモード切替指示部３と通信を行う通信部８を有する。照明器具４は、ランプや蛍光灯等の光源である照明負荷５及びこの照明負荷５を点灯するための点灯回路６を有する。点灯回路６には、制御部７からの調光信号に応じて点灯負荷に所定の電流を供給するための電源部（図示しない）が接続される。制御部７には、照明器具４の点灯状態を手動にて切り替えるための点灯スイッチ（図示しない）が設けられる。なお、照明負荷５と点灯回路６はランプ線等で接続され、点灯回路６と制御部７は調光信号線等で接続され、制御部７と通信部８は信号線等で接続されている。
【００１２】
モード切替指示部３は、通常、建物の屋内の玄関口付近に設けられる。また、モード切替指示部３は、照明器具４を通常点灯させる通常モードと照明器具４を予め定められたパターンに応じて点灯させるセキュリティモードとに切り替える機能を持っており、例えば、切替スイッチや任意の時刻にモードを切り替えるためのタイマ等を内蔵している。なお、モード切替指示部３に、セキュリティモードに入ると所定のブザー音が鳴ってユーザにどちらのモードであるのかを知らせる機能を追加したものであってもよい。
【００１３】
ここで、通常モードとは、点灯スイッチを手動で操作することにより、照明器具４の点灯状態を全光点灯−調光点灯−消灯等に順に切り替えることができるモードである。また、セキュリティモードとは、少なくとも窓際の照明装置２Ａ、２Ｂの照明器具４を自動的に全光点灯や調光点灯にて点灯制御する機能を有するモードである。本実施形態においては、窓際の照明装置２Ａ、２Ｂの照明器具４だけを全光点灯にて点灯させるようにしておく。このようなセキュリティモードにおける照明器具４の点灯態様の情報は、モード切替指示部３に内蔵させるメモリ等に本システム設置時に予め記憶させておく。なお、セキュリティモードにおいて、窓際の照明装置２Ａ、２Ｂの照明器具４以外に、必要に応じて内部の照明装置２Ｃ、２Ｄの照明器具４を全光点灯や調光点灯にて点灯させても構わない。また、セキュリティモードにおける窓際の照明装置２Ａ、２Ｂの照明器具４の点灯状態を、ランダムに点灯−消灯を繰り返すように変化させ、又は、一定の間隔で点灯−消灯を繰り返すように変化させもよい。
【００１４】
上記のように構成された本実施形態の照明制御システムのセキュリティモードにおける動作について説明する。まず、外出前等の屋内を無人状態にする前に、所定の時刻に本照明制御システム１が通常モードからセキュリティモードへ切り替わるようにモード切替指示部３にて設定する。例えば、昼間に屋内を無人状態にするときには、建物周辺が暗くなる夜間にセキュリティモードへ切り替わるように設定し、夜間に屋内を無人状態にするときには、直ちにセキュリティモードへ切り替わるように設定する。次に、セキュリティモードへ切り替わると、モード切替指示部３は、上述の点灯態様の情報をそれぞれの通信部８に向けて送信する。次に、制御部７は、通信部８が受信した上記情報を読み出し、点灯負荷５を点灯させるための制御信号を点灯回路６に送信し、点灯負荷５には、制御信号に応じた電流が点灯回路６から供給される。本実施形態においては、内部の照明装置２Ｃ、２Ｄの点灯器具２１は点灯せず、窓際の照明装置２Ａ、２Ｂの点灯器具２１のみが点灯する。
【００１５】
本実施形態に係る照明システムによれば、屋内が無人状態のときに、セキュリティモードに切り替えて、窓に近接配置された照明器具のみを予め定められたパターンに応じて点灯させることができるので、無駄な電力を消費することなく的確に、侵入盗などに対して屋内に人が居ると思い込ますことができる。
【００１６】
（第２の実施形態）
本発明の第２の実施形態に係る照明制御システムについて図２を参照して説明する。照明制御システム１は、１つの制御部が複数の照明器具を制御する点で第１の実施形態と異なる。照明器具４Ａ、４Ｂ、４Ｃ、４Ｄは、上述の照明器具４と同様の構成のものであって、窓に近接配置されるものを窓際の照明器具４Ａ、４Ｂとし、窓際の照明器具４Ａ、４Ｂに対してより屋内内部に配置されるものを内部の照明器具４Ｃ、４Ｄとする。窓際の照明器具４Ａ、４Ｂ両方を制御するものとして、制御端末機９Ｘが設けられ、内部の照明器具４Ｃ、４Ｄ両方を制御するものとして、制御端末機９Ｙが設けられる。制御端末機９Ｘ、９Ｙは、上述の内容に対応する制御部７と通信部８を有する。この照明システムによれば、複数の照明器具が１つの制御部に対して調光信号線等で接続されて点灯制御されるので、システムの製造コストを削減することができる。
【００１７】
（第３の実施形態）
本発明の第３の実施形態に係る照明制御システムについて図３を参照して説明する。照明制御システム１は、窓際の照明装置２Ａ、２Ｂ及び内部の照明装置２Ｃ、２Ｄが、同じ通信線１５でモード切替指示部３と接続される点で他の実施形態と相違する。通信線１５としては、例えば、ＲＳ４８５等のバス型のマルチポイント接続に対応した通信規格のものが用いられる。制御部７には、各照明装置２Ａ、２Ｂ、２Ｃ、２Ｄ毎に割り振られたアドレスを記憶するアドレス記憶部（図示せず）を設ける。モード切替指示部３が送信する上述の点灯態様の情報には、所定のアドレスに対してのみ有効なコマンドを持たせる。
このような構成において、モード切替指示部３が上記情報を一まとめにしてそれぞれの通信部８に送信すると、それぞれの制御部７は、自己のアドレスに応じた上記情報を読み出す。この照明システムによれば、システム内の配線を簡素化でき、システム設置作業が容易となる。
【００１８】
（第４の実施形態）
本発明の第４の実施形態に係る照明制御システムについて図４を参照して説明する。照明制御システム１は、第３の実施形態において、１つの制御部が複数の照明器具を制御するように構成したものである。これによって、本システムの製造コストが削減できると共に、システム設置作業が容易となる。
【００１９】
（第５の実施形態）
本発明の第５の実施形態に係る照明制御システムについて図５を参照して説明する。ここで、全体的なシステム構成については、図１及び図３と同様である。照明制御システム１は、第１及び第３の実施形態において、照明装置２Ａ、２Ｂ、２Ｃ、２Ｄのそれぞれに照度検出部１０を設け、制御部７が照度検出部１０により得られる検出値によって、自己の照明装置が窓側に位置するかを自動認識するようにしたものである。
【００２０】
具体的には、照度検出部１０は、フォトダイオード１１と抵抗１２と出力部１３とを有しており、フォトダイオード１１に光が当ると出力部１３の電圧が上昇する特性を持ち、制御部７は、この出力電圧をAD変換等をすることにより、自己の照明装置における照度を読み取る機能を持つ。従って、自己の照明器具が点灯している状態おいて、内部の照明装置２Ｃ、２Ｄでは、自己の照明器具の光だけであるため出力電圧が変化せず、また、窓際の照明装置２Ａ、２Ｂでは、窓から外光が入射して出力電圧が変化するので、制御部７は、自己の照明装置が窓際に取り付けられていることを認識することができる。このような認識情報を制御部７に記憶し、セキュリティモードに切り替わった際に、制御部７が、モード切替指示部３から通信部８に送信される上述の点灯態様の情報を読み出し、窓際情報を持つ場合にのみ照明器具４を点灯させる。これにより、窓側に位置する照明器具を手動で認識させる手間を省くことができる。
【００２１】
（第６の実施形態）
本発明の第６の実施形態に係る照明制御システムについて図６を参照して説明する。ここで、全体的なシステム構成については、図２及び図４と同様である。照明制御システム１は、第２及び第４の実施形態において、照明器具４Ａ、４Ｂ、４Ｃ、４Ｄのそれぞれに上述の照度検出部１０を設け、制御端末機２５Ｘ、２５Ｙの制御部７が照度検出部１０により得られる検出値によって、制御部７と接続される各照明器具が窓側に位置するかを自動認識するようにしたものである。これにより、上述の内容と同様の効果を得ることができる。
【００２２】
なお、本発明は、上記各種実施形態の構成に限られず、発明の趣旨を変更しない範囲で種々の変形が可能である。例えば、セキュリティモードにおいて、照明器具以外にテレビやラジカセ等を制御して音声を出力させることにより、侵入盗などに対して屋内に人が居るとより一層思い込ませるようにしたものであってもよい。
【図面の簡単な説明】
【００２３】
【図１】本発明の第１の実施形態に係る照明制御システムを示すブロック図。
【図２】本発明の第２の実施形態に係る照明制御システムを示すブロック図。
【図３】本発明の第３の実施形態に係る照明制御システムを示すブロック図。
【図４】本発明の第４の実施形態に係る照明制御システムを示すブロック図。
【図５】（ａ）は本発明の第５の実施形態に係る照明制御システムにおける照明装置を示すブロック図、（ｂ）は同照明装置における照度検出部の回路構成を示す図。
【図６】本発明の第６の実施形態に係る照明制御システムにおける照明装置を示すブロック図。
【符号の説明】
【００２４】
１  照明制御システム
２Ａ、２Ｂ、２Ｃ、２Ｄ  照明装置
３  モード切替指示部
４、４Ａ、４Ｂ、４Ｃ、４Ｄ  照明器具
５  照明負荷
６  点灯回路
７  制御部
８  通信部
９Ｘ、９Ｙ  制御端末機
１０  照度検出部
１１  フォトダイオード
１２  抵抗
１３  出力部
１５  通信線
【図１】
2008270041.tif 000003
【図２】
2008270041.tif 000004
【図３】
2008270041.tif 000005
【図４】
2008270041.tif 000006
【図５】
2008270041.tif 000007
【図６】
2008270041.tif 000008